(57)【要約】      （修正有）【課題】主として身体のツボ若しくは患部に密接接触することにより血行を促進し肩凝りや筋肉痛等を癒すことができる持続性のある健康刺激体を提供すること。【解決手段】粘着テープと粘着テープの面上に保持される突起物支持体とからなる健康刺激体において、複数の突起が人体に密接触するように該突起物支持体上に直接形成する。更に、突起が、茸状で、且つ人体皮膚に接触する突起部と、該支持体に設けられた小孔に嵌合するための基礎部とから構成し、該はめ込み小孔に嵌合させる。【選択図】図２
2005287901.tif 000002
【特許請求の範囲】
【請求項１】
粘着テープと粘着テープの面上に保持される突起物支持体とからなる健康刺激体において、複数の突起が人体に密接触するよう該突起物支持体上に直接的に形成されたものであることを特徴とする健康刺激体。
【請求項２】
上記突起が、茸状で、且つ人体皮膚に接触する突起部と、該支持体に設けられた少なくとも１個のはめ込み小孔に嵌合するための基礎部とから構成され、該はめ込み小孔に嵌合されていることを特徴とする請求項１に記載の健康刺激体。
【請求項３】
上記茸状の突起物が複数存在し、且つ突起物の素材及び／又は形状が同種又は異種のものからなることを特徴とする請求項２に記載の健康刺激体。
【請求項４】
上記突起物の素材が、各種金属、磁性体、チタン素材の各単体又はそれら金属の樹脂混合物から形成されたものであることを特徴とする請求項２又は３に記載の健康刺激体。
【請求項５】
チタン素材として、高圧水中で酸素と水素の混合ガスを燃焼させ、その燃焼ガスで元素金属チタンを溶融させることによって水中に沈下した金属チタンの微粉末を使用することを特徴とする請求項２〜４のいずれかに記載の健康刺激体。
【請求項６】
上記突起物支持体が、ゴム及び合成樹脂から選ばれたエラストマー素材より形成されたものであることを特徴とする請求項１〜４のいずれかに記載の健康刺激体。
【発明の詳細な説明】
【技術分野】
【０００１】
本発明は、主として身体の健康を促進するために使用される改良された健康刺激体に関する。
また、本発明は、主として身体のツボ若しくは患部に密接接触することにより血行を促進し肩凝りや筋肉痛等を癒すことができる健康刺激体に関する。
本発明は身体のツボ若しくは患部に貼着することにより血行を促進し、肩凝りや筋肉痛等を癒すことができる健康刺激体に関する。
【背景技術】
【０００２】
従来の健康刺激体としては、例えば、特開平１０−９９４０６では、蒸れや発汗を防止する粘着テープにあらかじめ多数の粒状物を保持しておき、必要時に該粘着テープを適宜切り取って身体のツボや患部に密接接触し、肩凝り等を癒すものが開示されており、実登３０２９２０８でも同様に粘着テープの面上に合成樹脂からなる被刺激単体を備えた健康単位体が開示されている。また、刺激体に円盤の中心部に穴の開いた金属を用いたテープも実登３０６５７３１に開示されている。一方、金属や合成樹脂の突起物の代わりに磁石を用いた健康刺激体が実開昭６１−０９６９３５に開示され、特定の指圧箇所を対象として特開２００１−２７６１７５ではツボである土踏まず部相当箇所を磁石刺激して血行を促進し、疲労回復や健康増進を図ることが開示されている。これらはいずれも突起物による指圧や磁力線による身体の血行促進を図ったものであった。
【発明の開示】
【発明が解決しようとする課題】
【０００３】
しかしながら、上述した従来の健康刺激体にあっては、金属粒１個単位の金属の単純な構成の突起物では、指圧自体の効果はあっても、血行の促進などの健康増進効果は期待できず、磁性体から成形されている場合は、磁気粒自体のコストも経済的とは言えず、また、一定時間が経過すれば、効き目に関係なく、そのまま永続的に使用できるものではなかった。
【０００４】
本発明は、このような従来の問題点に鑑みてなされたもので、簡単な構成でもって、血行促進などの健康増進効果により、肩凝り、筋肉痛等を永続的かつ効果的に癒すことができる経済性の高い健康刺激体を提供することを目的としたものである。また、本発明では、突起物支持体の複数の小孔に多種の形態の素材及び／又は形状の茸状の突起物をはめ込むことによって、健康増進効果に変化を持たせることができる。
【課題を解決するための手段】
【０００５】
上述の如き従来の問題点を解決し、所期の目的を達成するため本発明の構成は、適宜の形状の支持体と、該支持体の面上に形成された突起部とを備えてなる健康刺激体において、上記突起部は、各種金属、磁性体の単体又はそれらの樹脂混合体からなる１以上の突起を形成した健康刺激体を特徴とする。１単位健康支持体の突起物に形成される多数の突起は、突起物支持体と一体的に形成してもよいし、複数の突起物を突起物支持体の小孔にはめ込むようにしてもよい。上記突起物は、各種金属としてチタン素材の単体又は樹脂混合成形体の突起物を用いるのが適当である。
【０００６】
本発明は、以下の構成を基本的特徴とする。
（１）粘着テープと粘着テープの面上に保持される突起物支持体とからなる健康刺激体において、該突起物支持体は表面に少なくとも１個以上の突起が配置されてなることを特徴とする健康刺激体。
（２）上記突起が、人体に密接接触するように上記突起物支持体上に直接的に形成されたものであることを特徴とする（１）に記載の健康刺激体。
（３）上記突起物が、茸状で人体皮膚に接触する突起と、支持体に設けられた少なくとも１個のはめ込み小孔に嵌合するための基礎部とから構成されており、且つ、該はめ込み小孔に嵌合されていることを特徴とする（１）の健康刺激体。
（４）上記突起物の素材が、各種金属、磁性体、チタン素材の各単体又はそれら金属の樹脂混合物から形成されたものであることを特徴とする（２）又は（３）に記載の健康刺激体。
（５）チタン素材として、高圧水中で酸素と水素の混合ガスを燃焼させ、その燃焼ガスで元素金属チタンを溶融させることによって水中に沈下した金属チタンの微粉末を使用することを特徴とする（２）〜（４）のいずれかに記載の健康刺激体。
（５）上記突起物支持体が、ゴム及び合成樹脂から選ばれたエラストマー素材より形成されたものであることを特徴とする（１）〜（４）のいずれかに記載の健康刺激体。
【０００７】
本発明では、貴金属やチタン素材の血行促進などの生理活生作用を活かして従来の健康刺激体に比べて優れた健康増進の機能を発揮しようとするものである。これらチタンの作用は、チタンが皮膚に直接接触しなくても有効であり、効能発生速度も比較的速く、長期間にわたりその効力を維持することが可能で、健康増進効果も十分期待できる。貴金属やチタン素材に代えて磁気性の素材による突起物を用いてもよい。
【０００８】
本発明で突起物に用いる素材は、金属体として、Ａｕ，Ｐｔ，Ａｇ，Ｐｄ等の単体があり、合金では、Ａｕ−Ｇｅ，Ａｕ−Ｃｕ，Ａｇ−Ｐｄ，Ｐｔ−Ｃｕ，Ｐｔ−Ｐｄ等又は金属チタン単体や、チタン合金を用いることができるが、先の金属原子やチタン原子を含有する化合物であればよい。例えば、チタンの場合、ルチル、イタチタン石、エイスイ石等の鉱物を使用することができる。また、チタン合金としては、チタンと、銅、スズ、鉄、アルミニウム、クロム、コバルト、モリブデン、タングステン等の金属との合金を使用できる。例えば、チタン合金としては、Ｔｉ−Ａｌ、Ｔｉ−Ｖ、Ｔｉ−Ｍｏ、Ｔｉ−Ｃｒ、Ｔｉ−Ｍｎ、Ｔｉ−Ｆｅ、Ｔｉ−Ａｌ−Ｃｒ、Ｔｉ−Ｃｒ−Ｆｅ−Ｏ等があり、それぞれの合金の組成比を任意のものとすることができる。
【０００９】
さらに、チタン化合物として、ＴｉＨ２、ＴｉＨ４等の水素化物、ＴｉＯ、Ｔｉ２Ｏ３、ＴｉＯ２、Ｔｉ（ＯＨ）２、Ｔｉ（ＯＨ）３、Ｍ２ＴｉＯ３（Ｍは金属原子）等の酸化物、ＴｉＳ、Ｔｉ２Ｓ３、ＴｉＳ２等の硫化物、Ｔｉ２（ＳＯ４）３、Ｔｉ（ＳＯ４）２、ＴｉＰ２Ｏ７等の酸素酸塩、Ｔｉ２Ｂ、ＴｉＢ、ＴｉＢ２、Ｔｉ２Ｂ５等のホウ化物、ＴｉＣからなる炭化チタン、ＴｉＳｉ２、ＴｉＳｉ、Ｔｉ５Ｓｉ３等のケイ化物、ＴｉＮ、Ｔｉ３Ｎ４、Ｔｉ３Ｎ６、Ｔｉ５Ｎ６等の窒化物、ＴｉＰｎ等のリン化物、ＴｉＣｌ２、ＴｉＣｌ３、ＴｉＣｌ４、ＴｉＢｒ２、ＴｉＢｒ３、ＴｉＢｒ４、ＴｉＩ２、ＴｉＩ３、ＴｉＩ４ 等のチタンとハロゲンとの化合物、Ｍ２ＴｉＦ５、Ｍ３ＴｉＦ６、Ｍ２ＴｉＦ６、Ｍ２［ＴｉＣｌ５（ＯＨ）２］、Ｍ２ＴｉＣｌ６、［Ｔｉ（ＯＨ）６］Ｃｌ３、Ｍ２［ＴｉＢｒ６］等の複合塩、ＣａＴｉＯ３、ＳｒＴｉＯ３、ＢａＴｉＯ３、ＣｄＴｉＯ３、ＰｂＴｉＯ３等のチタン酸塩を単独又は併用で用いることができる。チタン粉末やチタン合金粉末の中では、とりわけ高圧水中で酸素と水素の混合ガスを燃焼させ、その燃焼ガスで金属チタンを加熱し、粉末化したチタン粉末を用いるのが適当である（特許第３５０７０６３号）。
【００１０】
貴金属やチタンを使用する場合、その粉末又は合金粉末を樹脂に混入して用いればよく、このときの樹脂としてはポリエチレンやポリプロピレン等の樹脂素材に上記チタン粉末を混入して圧縮成型等により製造することもできる。ことのときの樹脂素材としては、上記ポリエチレンやポリプロピレンの外に塩化ビニル樹脂、ポリエステルやポリプロピレンなどのポリオレフィン樹脂、ナイロンのようなポリアミド樹脂その他の公知の常温で硬度の高い樹脂が適当である。樹脂素材と金属素材との混合比は、格別限定されるものではなく、最高で５０重量％程度までのＡｕ，Ａｇ，ＰｔやＰｄ又はチタンの粉末又は合金粉末を用いることができる。
【００１１】
チタン素材として、本発明で用いる適当なチタン微粉末は、一般的なチタン粉末を用いても良いが、好適には高圧水中で酸素と水素の混合ガスを燃焼させ、その燃焼ガスで元素金属チタンを溶融させることによって水中に沈下した金属チタンの微粉末で、金属粉末以外の副生物や不純物などの生成が全くなく、得られた金属粉末の球状形状の均一性や粉末粒度の一定性が優れており、安価に製造できる。
【００１２】
このチタン微粉末をスチレン系ポリマーやスチレン系熱可塑性エラストマーを主体とする混合物等に均一に練り込み、金属製の型に流し込む、いわゆるインジェクション成形によって製造することによって突起物ができ、生産効率もよく、大量生産可能である。
【００１３】
このようにして形成された突起物を支持体に取り付けて本発明の健康刺激体を完成する。支持体の素材としては、健康刺激体を身体に貼着した際に健康刺激体が快適な強さで、身体表面に圧接保持されるように可撓性のあるゴムや弾性高分子体等のエラストマーが好ましく、身体のツボを快適に刺激するように円盤状、あるいは多角形状などの形状のシート等が好ましい。
【００１４】
１単位毎に突起を支持体の表面に１個以上を設けた本発明の健康刺激体を形成するため、支持体に複数個のはめ込み小孔を設けてその孔に上記突起物をはめ込んだり、突起物と突起物支持体を一体的に形成したり、支持体表面に後から接着剤で突起物を接着して健康刺激体を完成してもよい。突起物と突起物支持体とを一体的に形成するときは、成形自体が簡単であるが、多数の茸状の突起物を突起物支持体の小孔に取り付けるときには、突起物自体の素材を変化させたり、形状的に変化させたりできる利点がある。
【００１５】
このように構成される本発明の健康刺激体は、１単位で、裏面に粘着面を有する突起物支持体の表面（皮膚に接する側）に少なくとも１以上の突起を有するものが身体に密接触したときに、上記多数個の突起が身体の表面に食い込むこととなり、指圧効果も抜群である。また、突起物支持体は、高分子エラストマーで形成するのが適当であるが、突起物素材は、チタン素材等の金属、磁性体、セラミック等の適宜の素材を使用することができる。
【発明の効果】
【００１６】
本発明の健康刺激体は、上述のように構成され、支持体表面に少なくとも１以上の突起を形成することによって、身体に密接触した際に、上記突起が身体の表面に食い込んで圧接保持される。チタン微粉末のような金属微粉末を高分子エラストマーに練り込んで形成した健康刺激体によりツボや患部を刺激して血行を促進し、肩凝りや筋肉痛を癒すことができるといった効果を奏すると共に、身体から取り外さない限り、長期にわたって効き目があるという優れた効果を奏するものである。
【００１７】
また、上記微粉末チタン等の金属粉末を高分子エラストマーにより形成して刺激単体であるので、健康刺激体自体が簡単に形成できるので、大量生産に適し、価格も低廉なものとして需用者に供給できる等、本発明を実施することはその実益的価値が甚だ大である。
【発明を実施するための最良の形態】
【００１８】
次に本発明の実施の一例を図面を参照しながら説明する。
本発明の健康刺激体は、代表的には図１に断面図を示す第１の態様及び図６の断面図に示す第２の２つの態様を含む。
なお、図２は第１の態様における突起物がはめ込まれたときの突起物支持体の斜視図、図３は同じく突起物のはめ込み前の突起物支持体の斜視図、図４は突起物支持体にはめ込まれるべき突起物の斜視図、図６は第２の態様で、突起を一体成形又は接着により設けられた突起物支持体の斜視図、図７はその断面図を示す。
【００１９】
すなわち、図１は、本発明に係る第１の態様の健康刺激体１０の断面図であり、図６は、本発明の第２の態様の健康刺激体１１の断面図である。
先ず、第１の態様の健康刺激体について説明すると、健康刺激体１０は、図１に示すように突起物支持体１と、該突起物支持体１の面上に填め込み固定された突起部２、上記突起物支持体１を身体に密接着するために粘着剤４の塗布された粘着テープ３とから構成されている。
【００２０】
このように構成される上記第１の態様の健康刺激体１０は、円盤状、角形状などの適宜の平面形状の突起物支持体１にチタン微粉末を練り込んだ突起物をはめ込む。突起物支持体１は、図３に示すように突起物をはめ込むための小孔５を設けている。突起物は、図４に示すように茸状のもので、皮膚に密接触するための突起２と小孔にはめ込む基礎部６からなり、図５に示すように突起物支持体１の小孔５にはめ込み固定されている。突起物支持体１は、図１に示すように粘着テープに取り付けられている。
【００２１】
上記第１の態様の健康刺激体では、突起物支持体１に突起物をはめ込んで形成されていたが、第２の態様の健康刺激体は、突起部を備えた突起物支持体を一体的に成形するものである。
すなわち、図６及び図７に示すように、突起８を持つ突起物支持体７を粘着剤４によって粘着テープ３に保持させる。このとき、突起物を支持体７に接着剤により接着固定してもよい（図示せず）が、突起８を接着固定する場合は、支持体７に接着しやすいように突起物の形状、先端部を先鋭化したものや、丸くしたもの等、適宜、変形することも可能である。
【００２２】
上記のごとく形成された健康刺激体は、突起部を身体に圧接保持されるため、その部分の血行を促進すべく刺激して肩凝りや筋肉痛等を癒すことができるのである。しかも、この効き目は、身体から取り外さない限り、持続性がよい。突起物としては、磁気性の素材を適宜用いることもできる。
なお、本発明の健康刺激体は本実施例に限定されることなく、本発明の目的の範囲内で自由に設計変更し得るものであり、本発明はそれらの全てを包摂するものである。
【図面の簡単な説明】
【００２３】
【図１】支持体に突起物をはめ込んだ健康刺激体断面図
【図２】突起物をはめ込み後の突起物支持体の斜視図
【図３】突起物をはめ込む前の突起物支持体の斜視図支持体
【図４】突起物自体の斜視図
【図５】突起物のはめ込み状態の断面図
【図６】小孔を設けた突起物支持体の斜視図（第２の態様）
【図７】突起物を設けた突起物支持体の断面図（同上）
【符号の説明】
【００２４】
１  円盤状の支持体基体
２  身体に密接触する突起
３  粘着テープ
４  粘着テープの粘着面
５  突起物はめ込みのための小孔
６  突起物の基礎部
７  突起物支持体
８  突起物
【図１】
2005287901.tif 000003
【図２】
2005287901.tif 000004
【図３】
2005287901.tif 000005
【図４】
2005287901.tif 000006
【図５】
2005287901.tif 000007
【図６】
2005287901.tif 000008
【図７】
2005287901.tif 000009